(57)【要約】【課題】  コンパクトで携帯に便利であるとともに、使用時には充分に香りが広がり、かつ視覚的にも楽しむことが可能な携帯用芳香具を提供する。【解決手段】  この携帯用芳香具１は、折り畳み可能で芳香液を含浸可能なシート状の芳香エレメント６と、開閉可能な第１のケース部３と第２のケース部４とを有するケース２とを備え、ケース２の第１のケース部３および第２のケース部４にそれぞれ、芳香エレメント６の一端部および他端部が固定されており、携帯時には、ケース２内に芳香エレメント６が折り畳まれて収容され、使用時には、ケース２が開かれるのに伴って拡張される芳香エレメント６にエッセンシャルオイル等の芳香液が滴下される。【選択図】      図１
2006102356.tif 000002
【特許請求の範囲】
【請求項１】
折り畳み可能で芳香液を含浸可能なシート状の芳香エレメントと、開閉可能な第１のケース部と第２のケース部とを有するケースとを備え、
前記ケースの前記第１のケース部および前記第２のケース部にそれぞれ、前記芳香エレメントの一端部および他端部が固定されており、
携帯時には、前記ケース内に前記芳香エレメントが折り畳まれて収容され、使用時には、前記ケースが開かれるのに伴って拡張される前記芳香エレメントに芳香液が滴下されることを特徴とする携帯用芳香具。
【請求項２】
前記ケースが開かれた時に、前記芳香エレメントが前記ケースの幅よりも外側に広がることを特徴とする請求項１に記載の携帯用芳香具。
【請求項３】
前記芳香エレメントには、孔または切り欠きが設けられていることを特徴とする請求項１または請求項２に記載の携帯用芳香具。
【請求項４】
前記孔または前記切り欠きは、前記芳香エレメントの折り曲げ部に設けられていることを特徴とする請求項３に記載の携帯用芳香具。
【請求項５】
前記芳香エレメントは、前記第１のケース部および前記第２のケース部に着脱自在に係止されていることを特徴とする請求項１ないし請求項４のいずれかに記載の携帯用芳香具。
【請求項６】
前記ケースの外面は、鏡面に形成されていることを特徴とする請求項１ないし請求項５のいずれかに記載の携帯用芳香具。
【請求項７】
前記芳香エレメントには、発光処理が施されていることを特徴とする請求項１ないし請求項６のいずれかに記載の携帯用芳香具。
【発明の詳細な説明】
【技術分野】
【０００１】
本発明は、芳香液を滴下して使用する携帯用芳香具に関する。
【背景技術】
【０００２】
植物の持つ芳香成分を利用した健康法であるアロマテラピーの一つとして、エッセンシャルオイル（精油）の香りを嗅いで、精神的な癒しを得る芳香浴が行われている。
この芳香浴を外出先において気軽に行うことができるように、携帯用芳香具として、従来、アロマカードユニットが提案されている（例えば、特許文献１参照）。
このアロマカードユニットは、エッセンシャルオイルを含浸可能な保湿カードと、この保湿カードを両面から挟むように収容するカードホルダとからなり、カードホルダは、片面に多数の通気孔が形成されたホルダ本体と、その片面に折り重ねられるフラップとで構成されているものである。
【０００３】
このアロマカードユニットにおいては、保湿カードにエッセンシャルオイルを含浸させてカードホルダに収容した状態で、アロマカードユニットを衣類のポケット、財布等に入れて携帯し、芳香浴を楽しみたいときには、フラップを開けてカードホルダを顔に近づけると、自然に蒸発（揮発）したエッセンシャルオイルが通気孔等を介して外部に拡散するので、その芳香成分により芳香浴を行うことができる。また、フラップをホルダ本体に対して反対側に回動させることにより山形になったアロマカードユニットを、テーブル上等に立てて置くようにすれば、外出先のホテル滞在中等において、芳香浴を楽しむことができる。
【０００４】
【特許文献１】特開平１０−２９５４３９号公報
【発明の開示】
【発明が解決しようとする課題】
【０００５】
しかしながら、このようなアロマカードユニットにあっては、保湿カードにエッセンシャルオイルが含浸されているので、エッセンシャルオイルを含浸する面積が小さく、蒸発したエッセンシャルオイルの拡散範囲が狭いため、ホテル等でテーブル上等に立てて置いて使用する場合に、充分に香りが広がらないという問題がある。また、芳香浴だけを目的としており、視覚的に楽しむことができない。
【０００６】
本発明は、前記事情に鑑みて為されたもので、コンパクトで携帯に便利であるとともに、使用時には充分に香りが広がり、かつ視覚的にも楽しむことが可能な携帯用芳香具を提供することを目的とする。
【課題を解決するための手段】
【０００７】
前記目的を達成するために、請求項１に記載の携帯用芳香具は、折り畳み可能で芳香液を含浸可能なシート状の芳香エレメントと、開閉可能な第１のケース部と第２のケース部とを有するケースとを備え、前記ケースの前記第１のケース部および前記第２のケース部にそれぞれ、前記芳香エレメントの一端部および他端部が固定されており、携帯時には、前記ケース内に前記芳香エレメントが折り畳まれて収容され、使用時には、前記ケースが開かれるのに伴って拡張される前記芳香エレメントに芳香液が滴下されることを特徴とする。
【０００８】
上記構成において、ケースの開閉構造は特に限定するものではなく、例えば、第１のケースと第２のケースとをヒンジ等で連結し、回動して開くようにしてもよいし、あるいは第１のケースと第２のケースとを分離して開くようにしてもよい。また、芳香エレメントとしては、例えば、和紙、または、ポリエステル樹脂やフェノール樹脂等のシートなどを用いることができる。
【０００９】
請求項１に記載の発明においては、携帯時には、ケース内に芳香エレメントが折り畳まれて収容され、コンパクトになるので、携帯に便利である。また、ケースの第１のケース部および第２のケース部にそれぞれ、芳香エレメントの一端部および他端部が固定されており、使用時に、ケースを開くとケース内に折り畳まれていた芳香エレメントが拡張し、この面積が大きくなった芳香エレメントにエッセンシャルオイル等の芳香液を滴下するので、蒸発する芳香液の拡散範囲が広くなるため、自宅の室内やホテルの部屋等のテーブル等に置いて使用すると、蒸発した芳香液の香りが充分に広がり、芳香浴を充分に楽しむことができる。また、芳香エレメントが拡張したときに美的な立体形状、模様等が現れるようにすることができて、視覚的にも楽しむことが可能であり、室内の装飾品としても使用可能である。
【００１０】
請求項２に記載の携帯用芳香具は、請求項１に記載の発明において、前記ケースが開かれた時に、前記芳香エレメントが前記ケースの幅よりも外側に広がることを特徴とする。
【００１１】
請求項２に記載の発明においては、芳香エレメントが幅方向にも広がるので、芳香液を滴下する芳香エレメントの面積をより大きくすることができる。また、芳香エレメントが幅方向にも広がることにより、拡張した芳香エレメントの立体形状、模様等に種々の変化を与えることができ、視覚的により楽しむことが可能となる。
【００１２】
請求項３に記載の携帯用芳香具は、請求項１または請求項２に記載の発明において、前記芳香エレメントには、孔または切り欠きが設けられていることを特徴とする。
【００１３】
請求項３に記載の発明においては、孔や切り欠きが設けられているので、芳香エレメントが展開したときに、空気の通りが良くなり、芳香エレメントに含浸している芳香液が蒸発し易くなる。
【００１４】
請求項４に記載の携帯用芳香具は、請求項３に記載の発明において、前記孔または前記切り欠きは、前記芳香エレメントの折り曲げ部に設けられていることを特徴とする。
【００１５】
請求項４に記載の発明においては、孔または切り欠きが芳香エレメントの折り曲げ部に設けられているので、芳香エレメントが折り畳み易くなる。
この場合、孔または切り欠きは、例えば、スリットととして設けられたり、あるいは折り曲げ部に配置された多数の小さな孔などとして設けられる。
【００１６】
請求項５に記載の携帯用芳香具は、請求項１ないし請求項４のいずれかに記載の発明において、前記芳香エレメントは、前記第１のケース部および前記第２のケース部に着脱自在に係止されていることを特徴とする。
【００１７】
請求項５に記載の発明においては、芳香エレメントが第１のケース部および第２のケース部に着脱自在に係止されているので、芳香エレメントを手軽に交換して、他の香りの芳香浴を楽しんだり、あるいは色彩、形状等の異なる芳香エレメントに交換して楽しむことができる。
【００１８】
請求項６に記載の携帯用芳香具は、請求項１ないし請求項５のいずれかに記載の発明において、前記ケースの外面は、鏡面に形成されていることを特徴とする。
【００１９】
請求項６に記載の発明においては、ケースの外面が鏡面に形成されているので、芳香具を手鏡としても使用することができる。
【００２０】
請求項７に記載の携帯用芳香具は、請求項１ないし請求項６のいずれかに記載の発明において、前記芳香エレメントには、発光処理が施されていることを特徴とする。
【００２１】
請求項７に記載の発明においては、芳香エレメントに発光処理が施されているので、暗い中で、発光する装飾品として楽しむことができ、さらに視角効果との相乗効果により芳香浴をより楽しむことができる。
【発明の効果】
【００２２】
本発明の携帯用芳香具によれば、コンパクトで携帯に便利であるとともに、使用時には香りが充分に広がり、さらに視覚的にも楽しむことが可能となる。
【発明を実施するための最良の形態】
【００２３】
以下、本発明の実施の形態を添付図面を参照しつつ説明する。
図１ないし図３は、本発明の実施の形態に係る携帯用芳香具を示す図であって、図１は使用状態を示す斜視図であり、図２は携帯時の状態を示す平面図であり、図３は芳香エレメントの展開図である。
【００２４】
この携帯用芳香具１は、片手に収まる程度の大きさの薄い四角箱状のケース２を備えている。このケース２は、金属または合成樹脂等からなる扁平な容器状の第１のケース部３および第２のケース部４を備えている。これらの第１のケース部３の一端部と第２のケース部４の一端部とがヒンジ５により回動可能に固定されている。ケース２は、第１のケース３と第２のケース４とが約１２０度程度の角度になるまで開くことができ、それ以上は回動を規制されて開かないようになっている。ケース２の外面は、樹脂メッキ等により鏡面に形成されている。
【００２５】
このケース２内には、芳香液を含浸可能なシート状の芳香エレメント６が収納されている。この芳香エレメント６は、例えば、和紙、または、ポリエステル樹脂やフェノール樹脂等のシートからなる。芳香エレメント６には、発光塗料が塗られている。芳香エレメント６は、図３に示すように、完全な展開状態では、点対称の平らな花の形状になるようにように形成されており、その中心部には四角の中心孔７が設けられている。芳香エレメント６は、図２に示すように、ケース２を閉めた状態では、折り曲げ部８で折り畳んだ状態で、ケース２内に収容される。折り曲げ部８には、孔または切り欠きとしてのスリット９が設けられており、これにより芳香エレメント６が折り曲げ易くなるとともに、展開したときにスリット９を通して空気が通過するようになっている。芳香エレメント６の一端部および他端部にはそれぞれ、係止孔１１、１２が形成されており、これらの係止孔１１、１２がそれぞれ、ケース２の第１のケース部３のＬ字板状の係止突起１３および第２のケース部４のＬ字板状の係止突起１４に着脱自在に係止されている。
【００２６】
この携帯用芳香具１は、携帯するときには、図２に示すように、ケース２を閉めた状態にする。
一方、自宅の室内あるいは外出先のホテル等の部屋などで、この芳香具１を使用するときには、図１に示すように、ケース２を開く。そうすると、ケース２の第１のケース部３および第２のケース部４にそれぞれ、芳香エレメント６の一端部および他端部が固定されているので、芳香エレメント６が展開し、立体の花の形状になる。このとき、芳香エレメント６は、ケース２の幅を越えて広がる。その後、芳香エレメント６にエッセンシャルオイル等の芳香液を適量（例えば、１〜３滴程度）滴下し、芳香具１をテーブル等に置く。そうすると、芳香エレメント６に含浸された芳香液が自然に蒸発するので、蒸発した芳香液の香りが拡散する。
【００２７】
このように構成された携帯用芳香具１にあっては、携帯時には、ケース２内に芳香エレメント６が折り畳まれて収容されて、コンパクトになり、携帯に便利である。さらに、ケース２の外面が鏡面に形成されているので、芳香具１を手鏡としても使用することができる。
【００２８】
また、ケース２の第１のケース部３および第２のケース部４にそれぞれ、芳香エレメント６の一端部および他端部が固定されており、使用時に、ケース２を開くとケース２内に折り畳まれていた芳香エレメント６が四方に拡張し、この充分に面積が大きくなった芳香エレメント６にエッセンシャルオイル等の芳香液を滴下することができる。その結果、蒸発する芳香液の拡散範囲が広くなるので、ホテルの部屋等のテーブル等に置いて使用すると、蒸発した芳香液の香りが充分に室内に広がるため、芳香浴を充分に楽しむことができる。
【００２９】
また、芳香エレメント６が四方にに拡張し、立体の花の形状になるので、視覚的にも楽しむことができ、室内の装飾品としても使用できる。さらに、芳香エレメント６に発光塗料が塗られているので、暗い中で、発光する装飾品として楽しむことができ、さらにはこの視角効果と芳香浴との相乗効果により精神的な安らぎを得ることができる。
【００３０】
また、芳香エレメント６が第１のケース部３および第２のケース部に着脱自在に係止されているので、芳香エレメント６を他の芳香エレメントに交換して、他の香りの芳香浴を楽しんだり、あるいは色彩、形状等の異なる芳香エレメントに交換して楽しむことができる。
【００３１】
また、芳香エレメント６の折り曲げ部８にスリット９が設けられているので、芳香エレメント６が折り畳み易くなる。さらに、芳香エレメント６の中心部に中心孔７が設けられているので、芳香エレメント６がさらに折り畳み易くなる。さらには、これらのスリット９および中心孔７が設けられていることにより、芳香エレメント６が展開したときに、空気の通りが良くなり、芳香エレメント６に含浸している芳香液が蒸発し易くなる。
【００３２】
なお、前述の実施の形態では、ケース２が開かれた時に、芳香エレメント６がケース２の幅よりも広く拡がるようにしたが、これに代えて、芳香エレメントの幅は広がらずに、ケースが開く方向にのみ芳香エレメントが拡張するようにしてもよい。このようにしても、芳香エレメントの面積が広くなり、香りが充分広く拡散する。
【００３３】
また、前述の実施の形態では、芳香エレメント６が中心部の中心孔７を中心に四方に拡張するようになっているが、芳香エレメントはこれに限られるわけではなく、ケースが開かれるのに伴って拡張されるようなものであればよい。例えば、長方形形状の和紙等の素材をその長手方向に交互にジグザグに折り曲げて、伸縮自在な蛇腹状に芳香エレメントを形成し、この芳香エレメントの長手方向の一端部および他端部をそれぞれ、ケースの第１のケース部および第２のケース部に固定するようにしてもよい。さらには、これらの芳香エレメントを複数個連結して用いるようにしてもよい。
【００３４】
また、前述の実施の形態では、ケース２の第１のケース部３と第２のケース部４とが連結されているが、これに代えて、ケースを開けたときに、ケースの第１のケース部と第２のケース部とが分離するようにしてもよい。
【００３５】
また、前述の実施の形態では、スリット９を折り曲げ部８にのみ設けたが、スリット等の孔または切り欠きを他の部分にも設ければ、これらを空気が通過するので、より芳香液が蒸発し易くなる。
【図面の簡単な説明】
【００３６】
【図１】本発明の実施の形態に係る携帯用芳香具を示す図であって、使用状態を示す斜視図である。
【図２】同、携帯時の状態を示す平面図である。
【図３】同、芳香エレメントの展開図である。
【符号の説明】
【００３７】
１    携帯用芳香具
２    ケース
３    第１のケース部
４    第２のケース部
６    芳香エレメント
８    折り曲げ部
９    スリット
１１、１２    係止孔
１３、１４    係止突起
【図１】
2006102356.tif 000003
【図２】
2006102356.tif 000004
【図３】
2006102356.tif 000005